(57)【要約】      （修正有）【課題】草刈り機において、回転体の根元の周囲につるや長めの草が巻き付くことを防止する草刈り刃を提供する。【解決手段】回転体本体３への草巻き付きを防止する為、切れ刃２の回転方向後ろ側のエンド部分をわずかに上方に湾曲させた突起４を複数箇所設ける。また、同時に回転中心に近いところに湾曲して盛り上がった突起５を同一直径円上に複数箇所設けて、回転軸の近くに来る草を上方に持ち上げて、巻き付き防止効果をより確実なものとする。【選択図】図１
2016220664.tif 000002
【特許請求の範囲】
【請求項１】
回転体の外周に切れ刃を設ける草刈り用の回転体において、草を持ち上げる目的で回転体の表面に高さ数ミリメートル以内の突起を設置する草刈り刃。
【請求項２】
回転体の外周に切れ刃を設ける草刈り用の回転体において、回転体の切刃の後方に、草を持ち上げる目的で回転面より反り上がった面をもつ草刈り刃。
【発明の詳細な説明】
【技術分野】
【０００１】  本発明は草刈り機に用いられる草刈り刃と、それを構成する回転体において、回転体の根元の周囲につるや長めの草を巻きつけることを防止すると同時に、草刈り機の操作性を向上する。
【背景技術】
【０００２】  草刈り機の回転体の根元への巻きつけ防止は、草を切断して防止する方式のものが主である。回転体の上面に切り刃を別に設けて回転体の根元に来る草を切断する形式となっている。また、別売の外周に切り刃の付いた小さな回転体を上側に回転中心を合わせて装着している。他の例として回転体を支える柄の支柱の部分に別に切り刃をボルトなどで装着している。
【先行技術文献】
【特許文献】
【０００３】
【特許文献１】特許第４１３７７５８号  特許公報
【非特許文献】
【０００４】
【非特許文献１】特開２０１３−８１４４４  公開特許公報
【発明の概要】
【発明が解決しようとする課題】
【０００５】  従来の発明では回転体の根元への巻きつきをある程度は防止できるが、次のような負の要素を生んでいる。１−重量の増加と回転重心がわずかに上方に移動するので、回転体の回転に微小な振動を生み、草刈り動作（左右に動かす動作）の動力部（草刈り刃）の操作性を低下させている。２−巻きつき防止用の刃で数なくとも２度目の切断をしているので、抵抗力が増加することになる。３−このような工作にはコストが多くかかり、作業中の切り刃による危険性も増加する。
【課題を解決するための手段】
【０００６】  本発明は考え抜いた結果から思いついたものではなく、従来から経験することであるが、回転体の刃が石か鉄製の杭に当たったりして、上に曲がったのを見ていて、あるときこの利用方法はないかと考えたのがきっかけである。【０００７】  この曲がりを回転体の切り刃の後ろ側の適当な位置に作れば、切れた茎などが次々に当たり、上方に上がったところに次の刃が来るので、良い効果があるのではと発想したのが始まりである。実際に作って実験をすると思いもよらない良い効果が発生した。【０００８】  図１は回転体の表と裏を決めて使う構造のものに設置した例である。切れ刃の後ろ側のエンド部分をわずかに上方に湾曲した構造である。この湾曲部は切り刃の構成部分のすべてのエンド部分につける必要はなく、１つ飛び、２つ飛びにつけても効果は大きく変わらない。また、回転中心に近いところに湾曲して盛り上がった突起を２か所付けて、回転軸の近くに来る草を上方に持ち上げて、巻き付き防止効果を確実なものとしている。これらの円周上の配置はバランスを保つ必要がある。【０００９】  曲げて湾曲を作る工作はむずかしいときは上面に突出部がなめらかに突起する点状のものを溶接する。これが困難なら裏面から突起ができるように加工したポンチ等で治具で保持して高圧力をかけ隆起をつくるなどの方法がある。切り刃の内側の回転体の部分に突起をつけてもさらなる効果がある。この場合は突起は回転方向に対して直角に突起することなく、なめらかに山を形成し、しかも数量はできるだけ少なくすることが大事である。これも刈り草が回転体の軸方向に接近することを防止する。回転体はハイスピードで回転しているので、円周に２か所、その内側に２か所でも十分効果を発揮する。【００１０】  このとき、切り刃は下側に逃げ面がくる構造なら図３で示すようになる。すなわち、切り株の茎による上方向の力Ｈに対して上面の突起が切られた草に当たり下方向の力Ｗを受けて、上方向の力を消す方向に作用することになり、結果として動力部の操作性が増すことになる。【００１１】  図４のように裏返して両面を使用できるものでは、刃と刃の中心線上の付近に突起の高さ２ｍｍ以内の、なだらかな点状の突起を１〜３個作ればよく、両刃の中心付近に回転のバランスを考えて、円周上で最低で２か所つけ、それ以上ならできるだけ少なくすることが操作性において重要である。【００１２】  図７のように並んだ小さな孔を利用して片面方向に盛り上がりを作って同様な効果を発揮させる方法であるが、これについても工作は比較的簡単にできる。【００１３】  図８に示すようにリべット締めの要領で孔の両面に円形の突起をつける方法もある。【００１４】  回転体の材質から突起をつくることがむずかしいのであれば、プラスチックなどの別の材質で両面に突起状の凸部が創られていることで同様の効果を発揮する。回転体への設置は重量軽減孔をつけている孔を使って、突起片の止める部分のスパンと孔のスパンとを一致させておいて、両面から一方の凸部を一方の凹部に差し込んで、返りを利用して止められる構造などが考えられる。
【発明の効果】
【００１５】  本発明は非常に単純な加工を施すことで、大きな効果が生まれる発明である。図で見れば効果としては大きくないと思われるが、加工を施して試してみれば、今までの草刈りの印象を大きく変えると言える。【００１６】  従来のものに比べて単純になったことで、回転体の重心が円盤の中心付近にまとまり、高速回転での微妙なブレが少なくなったと感じられる。よって、回転体の回転力が向上し、動力の節約と能率の良さを生む。【００１７】  図３が示すところは、切れ刃が茎等を切断すると、刃の逃げ面に切断して残った切り株の茎等が当たり、逃げ面に圧力が働き持ち上げる力となる。この力は回転体が地面に食い込まない作用をしているが、巻き付き防止用の刃の付いた小さな回転体を上面につけたり、回転体の本体の上面に切断用の刃をつけると、回転体の回転重心が微妙に上方に上がり、回転体の遠心力の作用も２つになり、操作性に違和感を与える結果を生んでいる。しかし、本発明によって上面につける小さい巻き付き防止用の回転体や回転体本体の上面の切り刃がいらなくなると、回転体の重心が下がり回転しやすくなる。さらに、曲げられた面や突起があると、刈られた茎等から下方向の力を受けてつり合いが生まれ、回転体の横方向の往復運動の操作性が向上する。【００１８】  さらに、草刈り刃が草を切断すると瞬時に突起で持ち上げる力が働き、持ち上げられたところに次の刃がやってくるので、刈った草を二度切断するようなことがなくなり、回転体の横方向の操作性が楽にでき、草刈りが手軽になる。【００１９】  刈り取られた草が横に倒れて、回転体の上に乗っても高速で突起は回転しているので、回転体と草との間に空間ができることになり、結果として軸部への巻きつきがほぼなくなる。【００２０】  実証実験として、初めに図１、図２、図４で示すもので、上面に巻きつき防止の切断をする小さい回転体（従来からあるもの）をつけて実施した。これでも巻き付き防止には良い効果を上げた。次に巻き付き防止の切断をする小さい回転体を外して、同様につば茅の類で背丈１ｍ程度のものを刈った。巻きつき防止の切断をする小さい回転体を外すと回転がスムーズになるし、操作性が増して、楽な草刈りを実感できた。本発明では巻きつき防止の切断をする小さな回転体は無いほうが状況はよい。背丈が１ｍ程度の茅類を６０分程度の時間かけて刈ったが、巻きついてエンジンをとめることはなかった。負荷がかかり回転体を抜くことは２・３度あったが、抜けばすぐに上面の草を振り払い回転がもとに戻った。以前は何回も巻きつき、その都度肩からはずして、巻きついた草を除く必要があった。からまるかつらの代表である葛のつるも刈ってみたが、巻きつくことはなく楽に刈れた。従来の草刈りの重荷から、かなり解放されて楽しく刈れるとの印象が強かった。効果として、長い巻きつきやすい草の草刈りは２倍以上の時間短縮と早さで終了したとの実感であった。操作性も向上して草刈り自体がかなり楽になった印象である。なお、今使っている草刈り機は背負い型ではなく、馬力も最小の部類であり、それでこのようにすぐれた効果を実感した。【００２１】  小さな工夫が大きな効果を生む代表例と言える。草刈り刃は高速回転体であるから、単純な形とそ���バランスも操作性において重要な要素である。
【図面の簡単な説明】
【００２２】
【図１】本発明において、片面切り刃の４枚刃のそれぞれの一部に反り面と中心に近いところに２か所の突起とを設置した例の斜図と突起部の断面図である。
【図２】本発明で片面切り刃の４枚刃の２か所の中心と回転孔の近くの２か所とに突起を設置した例の斜図と突起部の断面図である。
【図３】図２の断面Ａ−Ａの図で力の作用を分析した図である。
【図４】本発明で表裏で使用できる草刈り刃に設置した例の正面図と突起部の断面図ある。
【図５】表裏で使用する草刈り刃で孔を結ぶ山状の突起を設置した例を示す正面図と突起部の断面図である。
【図６】リベット締めで突起を作った例の正面図と突起部の断面図である。
【発明を実施するための形態】
【００２３】１―――切った草を浮かして次の切り刃が通りやすくする。２―――２度切りを防ぐ。３―――回転体の回転中心を遠心力の延長面にできるだけ近くすることで、回転の省力化と微小振動をすくなくする。草刈り刃については高速回転であることから、これらを実現するためには加工が簡単で装備がシンプルでバランスが良いことがあげられる。図１、図２、図４には代表例が描かれている。使用状況についてはすでに説明しているが、突起の形状、その位置、その個数については研究の余地が十分にあると思われる。
【実施例】
【００２４】  図１は面の一部を反らして、刈った草を持ち上げるようにした例である。図２はなだらかな山状の突起を溶接などで盛り付けるか、反対側から圧力をかけて押し出して成型した例である。図４は両面で切削できる円盤状の両面に山状の突起を溶接などで盛り付けるか、反対側から圧力をかけて押し出して成型した例である。図７は回転面の孔を利用して山状の突起をつけた例である。これらの反り返った面と突起については、なだらかな面の盛り上がりをつける形状であれば形については作図で示す形状と異なる形状でもその効果はかわらない。回転体の遠心力等を考慮すれば、回転体にバランスよく少なく配置することがベストである。
【産業上の利用可能性】
【００２５】  田舎においては農業を始め、道路維持・空き地の手入れなど体で支える草刈り機の使用が多い。草刈り刃をもった回転体は巻き付きを防止するには、意外と単純な操作性を重視した工夫がなかった。本発明は従来の回転体の草刈り刃の回転を生かして、操作性と巻き付き防止、さらには草刈り刃の生産コスト面に多大な効果を発揮する。また、重荷である農作業等の効率の向上を図る。
【符号の説明】
【００２６】  １  装着用の孔、  ２  草刈り刃、  ３  回転体本体、  ４  上方に反り返った突起、  ５  山状の突起、  ６  刃の逃げ面に切り株から受ける圧力（Ｕ）、  ７  ６の圧力の上方向の分力（Ｈ）、  ８  ６の圧力の軸方向の分力（Ｖ）、  ９  切られた草から突起が受ける圧力（Ｄ）、  １０  ９の圧力の下方向の分力（Ｗ）、  １１  ９の圧力の軸方向の分力（Ｘ）、  １２  裏面で使用の草刈り刃、  １３  裏面の突起、  １４  上面の横長の突起、  １５  下面の横長の突起、  １６  重量軽減孔、  １７  リベット締め突起
【図１】
2016220664.tif 000003
【図２】
2016220664.tif 000004
【図３】
2016220664.tif 000005
【図４】
2016220664.tif 000006
【図５】
2016220664.tif 000007
【図６】
2016220664.tif 000008
【手続補正書】
【提出日】平成28年5月25日(2016.5.25)
【手続補正１】
【補正対象書類名】明細書
【補正対象項目名】０００１
【補正方法】変更
【補正の内容】
【０００１】本発明は草刈り機に用いられる草刈り刃と、それを構成する回転体において、回転体の根元の周囲につるや長めの草が巻きつくことを防止すると同時に、草刈り機の操作性を向上する。
【手続補正２】
【補正対象書類名】明細書
【補正対象項目名】０００８
【補正方法】変更
【補正の内容】
【０００８】  図１は回転体の表と裏を決めて使う構造のものに設置した例である。切れ刃の後ろ側のエンド部分をわずかに上方に湾曲した構造である。この湾曲部は上から見れば三角形構造をしており、内側の面ほど回転面から高くなっている。刈り刃で切断された草はこの部分でわずかに持ち上げられて、傾斜が内高となっているので外側に排出されるように移動する。刈られた草は持ち上げられて外側に移動しやすい。持ち上げられると、次の刃が１度切られた草に当たることが少なくなり、回転体の動きが軽くなり、操作性が増してくる。巻き付きの低減、操作性の向上など身体的な負荷も軽減され、作業能率は良くなる。
【手続補正３】
【補正対象書類名】明細書
【補正対象項目名】０００９
【補正方法】変更
【補正の内容】
【０００９】図２はチップソーに取り付けた例である。円周状の３６枚のチップの数は例では２８枚刃で８個少なくなるが、この反り返りの効果は草刈りにおいては良い効果を発揮する。７の部分にもチップを設けてもよいが、例では付けていない。
【手続補正４】
【補正対象書類名】明細書
【補正対象項目名】００１０
【補正方法】変更
【補正の内容】
【００１０】図３は７の部分の、特に三角形の反り面体４の形状を示した図である。図でＬ字型の溝は補強のためもあって、金型・溶接等によってつながっていることが重要となる。
【手続補正５】
【補正対象書類名】明細書
【補正対象項目名】００１１
【補正方法】変更
【補正の内容】
【００１１】図４はこの面に刈り草が当たったときの草の移動の方向を説明している。
【手続補正６】
【補正対象書類名】明細書
【補正対象項目名】００１２
【補正方法】変更
【補正の内容】
【００１２】図５は８枚刃に７を４か所付けた例である。７の前部に刈り刃を設けた例としている。切り刃があると刃を砥いで他の刃と同じように削って、ちびるので回転の障害にはなりにくい。
【手続補正７】
【補正対象書類名】明細書
【補正対象項目名】００１３
【補正方法】変更
【補正の内容】
【００１３】図２のチップソーはチップの先で外径が決まり、チップが欠ければ７の外径に揃うので前部にチップを取り付けなくとも外径は揃って、回転の抵抗になりにくい。
【手続補正８】
【補正対象書類名】明細書
【補正対象項目名】００１４
【補正方法】変更
【補正の内容】
【００１４】図６はチップソーに切り込みを入れて、実験用に作ったものである。反り面体をつけるように一部に切り込みを入れて、溶接すると比較的に軸心に向かう溶接のために、溶接後の温度低下で引っ張られて４分の１円がそれぞれスパイラル状にわずかに反り上がる傾向となって、それも良い効果に影響している感がある。図６は反り面体をつける工作方法の４分の１円について、回転方向の最初のチップが最も下方に位置し、それから反り面体のあるチップに向かって徐々に高くなることになり、切り草を浮かす作用をしている。この工作後に試し刈りをして、チップソーにも三角形の反り面体をつけるとさらなる効果を発揮すると確信した。図２・図７で示すものを発想する基礎になっている。
【手続補正９】
【補正対象書類名】明細書
【補正対象項目名】００１６
【補正方法】変更
【補正の内容】
【００１６】従来において、回転体の本体の上面に切断用の刃を加工してつける。これは回転体の回転重心が微妙に上方に上がり、回転体の遠心力の中心が２つになりがちとなり、振動の原因にもなる。そこで操作性に違和感を与える結果を生んでいる。しかし、本発明によって上面につける小さい巻き付き防止用の回転体や回転体本体の上面の切り刃がいらなくなると、回転体の重心が中心に集まり回転しやすくなる。
【手続補正１０】
【補正対象書類名】明細書
【補正対象項目名】００１７
【補正方法】変更
【補正の内容】
【００１７】さらに、草刈り刃が草を切断すると瞬時にそり上がった面で草が持ち上げられ、持ち上げられたところに次の刃がやってくるので、刈った草を二度切断することが軽減され、刈り刃の移動が軽くなる効果がでる。
【手続補正１１】
【補正対象書類名】明細書
【補正対象項目名】００１８
【補正方法】変更
【補正の内容】
【００１８】回転中心に向かって反り上がっているので、刈り草の外側への排出作用が起こり、切り刃の部分に草が少なくなり、刈る部分が見えやすくなる。結果、丁寧な草刈りができる。総合的に回転体の横方向の操作性が上がり、草刈りが手軽になる。
【手続補正１２】
【補正対象書類名】明細書
【補正対象項目名】００１９
【補正方法】変更
【補正の内容】
【００１９】刈り取られた草が横に倒れて、回転体の上に乗っても高速で回転しているので、回転体と草との間に空間ができることになり、結果として軸部への巻きつきがほぼなくなる。
【手続補正１３】
【補正対象書類名】明細書
【補正対象項目名】００２０
【補正方法】変更
【補正の内容】
【００２０】実証実験として、図１で示すように、刈り刃の後ろ面を三角形の形状で反りを中心側に高くするように作った。これでは［００１７］［００１８］［００１９］で示すようなかなりの改善点を実感した。さらに、巻き付きが極端にすくなくなるなど良い効果を上げた。本発明の究極の形状と思われる。つば茅の類で背丈１ｍ程度のものを刈ったが、ほぼ巻き付きはなかった。しかも、刈り草が持ち上がり外側に逃げて、操作性が向上して楽な草刈りを実感した。本発明では巻きつき防止の刃の付いた小さな回転体は無いほうが状況はよい。チップソーについては図６で示すものを加工して実験したが［００１７］［００１８］で示すような効果に加えチップソーのよい切断感触を実感できた。チップソーは新しい内は巻き付きが少なく刈りやすい印象であるが、使い古してくると巻き付きやすくなり、操作においても重くなる印象である。ところが、この加工を施したものは、操作性・刈りやすさ・巻き付きの少なさ・刈る部分の見やすさなどにおいて良い効果を示した。従来の草刈りの重荷から、かなり解放されて楽しく刈れるとの印象が強かった。効果として、長い巻きつきやすい草の草刈りはかなりの時間短縮で終了したとの実感であった。操作性も向上して草刈り自体がかなり楽になった印象である。なお、今使っている草刈り機は背負い型ではなく、排気量は２３ｃｃの最小の部類であり、それでこのようにすぐれた効果を実感した。
【手続補正１４】
【補正対象書類名】明細書
【補正対象項目名】００２２
【補正方法】変更
【補正の内容】
【００２２】
【図１】本発明において、４枚刃の刈り刃において、各々の刃の後ろ側に三角形の反り面体４を設けた斜図と三角形の反り面体４の断面図である。巻き付きやすい草において特に効果を発揮する。製品にしたい１例である。
【図２】本発明でチップソーの円周状の４か所に三角形状の反り面体４を設けた斜図である。製品にしたい１例である。
【図３】本発明で図２のＧ部の詳細図である。
【図４】本発明で刈り草の持ち上げと外側への移動を説明した図である。
【図５】外周に８枚刃の切り刃をもち、埋め込み刃（チップ）を持たない回転体に三角形の反り面体４を設置したモデルの斜図である。製品にしたい１例である。
【図６】図２と同じような作用をもったチップソーの発明品の開発用に作ったものの斜図である。
【図７】図６から発想して作ったものに近い形状をしている斜図である。
【手続補正１５】
【補正対象書類名】明細書
【補正対象項目名】００２３
【補正方法】変更
【補正の内容】
【００２３】１、切った草を浮かして次の切り刃を通りやすくする。２、２度切りを防ぐ。３、刈り草を外側に排出して巻き付きを防ぐ。４、刈り刃の刈る部分の草の排出を助け、刈る位置を見やすくする。５、回転体の遠心力の中心を１つになるように近づけることで、回転の省力化と微小振動を少なくする。
草刈り刃については高速回転であることから、これらを実現するためには加工が簡単で装備がシンプルでバランスが良いことがあげられる。図１、図２、図５、図７には代表例が描かれている。使用状況についてはすでに説明しているが、さまざまなことを考慮すればほぼ完成型と思われる。しかし、研究の余地が十分にあると思われる。
【手続補正１６】
【補正対象書類名】明細書
【補正対象項目名】００２４
【補正方法】変更
【補正の内容】
【００２４】図１は面の一部を反らして、刈った草を持ち上げ、外側に移動さすようにした例である。実験用に作ったものに近く、巻き付き防止、操作性において大変優れている。図２・図７はチップソーの回転体に設置した例である。チュップソーはよく使われるし、古くなっても刃を研磨すれば新品同様に使える本発明の図１と同じように中心を成すものである。図５は従来の８枚刃に設けた例である。刃部が４枚増えて１２枚刃となる。工夫して従来通りの８枚刃で仕上げてもよいものが出来る。反り面体の翼の一部に切り刃を設けることは、刃がちびて同じように研磨すると、この部分も同時にちびるので最善策と思われる。これもよい効果が期待できる。図６はチップソーで実験用に作ったものでチップソーでの効果を確信した作品である。製品としては図１、図２、図５、図７で示すものがよい効果を発揮し、本発明の主流をなす製品モデルとなり得る。
【手続補正１７】
【補正対象書類名】明細書
【補正対象項目名】００２６
【補正方法】変更
【補正の内容】
【００２６】１  装着用の孔、２  草刈り刃、３  回転体本体、４  三角形の反り面体、５  上面の山状の突起、６  下面の山状の突起、７  反り面体をもつ回転翼、８  超硬チップ取り付け回転翼、９  超硬チップ、１０  刈り草、１１  重量軽減孔、１２  三角形の反り面体補強部（溶接・型鍛造など）
【手続補正１９】
【補正対象書類名】図面
【補正対象項目名】全図
【補正方法】変更
【補正の内容】
【図１】
2016220664.tif 000009
【図２】
2016220664.tif 000010
【図３】
2016220664.tif 000011
【図４】
2016220664.tif 000012
【図５】
2016220664.tif 000013
【図６】
2016220664.tif 000014
【図７】
2016220664.tif 000015